(57)【特許請求の範囲】
【請求項１】
合成樹脂からなる台版に、アドバンスト・フォト・システムで使用されるフィルムカートリッジの下半分と同じ形状としてフィルムカートリッジの下半分が嵌合し、且つ、フィルムカートリッジを上方に押し出す方向に弾性力が作用するような形状の収納凹部を凹設し、この収納凹部と平行にフィルムカートリッジのフィルム引出口の突出幅をおいて係止板を立設すると共に、この係止板の上記収納凹部に面した上端部にフィルムカートリッジのフィルム引出口の上端角部と係合する係止突条を設け、この係止突条と上記収納凹部の反対側角部とでフィルムカートリッジを弾性的に挟持するようにしたことを特徴とするフィルムカートリッジの保持構造。
【請求項２】
係止板の長さを収納凹部の長さより短くして、嵌合するフィルムカートリッジのフィルム引出口の一部が露出するようにした請求項１記載のフィルムカートリッジの保持構造。
【発明の詳細な説明】
【０００１】
【発明の属する技術分野】
この発明は、近年提唱された「アドバンスト・フォト・システム」において使用するフィルムカートリッジを容易に着脱できるようにした保持構造に関するものである。
【０００２】
【従来の技術】
従来の３５ミリフィルムの写真現像処理システムでは、パトローネから出されて現像処理されたネガフィルムは、適当なコマ数毎に切断され、半透明フィルムで作られたネガシートに収納して顧客に返却される。顧客は、このネガシートを別途空き箱等を利用して保管するか、ネガ専用の台紙に収納して写真を貼付した台紙と共にアルバムに綴じて保管していた。
【０００３】
ところで、近年提唱された「アドバンスト・フォト・システム」は、従来の３５ミリフィルムに代えて小型の新規格のフィルムとこれに適応したカメラを使用して撮影するもので、フィルムは特殊なカートリッジに収納され、フィルムのカメラへの装填から撮影後の現像処理まで、すべてカートリッジにフィルムを収納した状態で行うものである。
【０００４】
即ち、現像後のネガフィルムは、従来のようにネガシートに収納して扁平な状態で返却するのではなく、再度フィルムカートリッジに長尺のまま収納した状態で顧客に返却される。このとき、顧客はネガフィルムの内容を直接確認することができないから個々のフィルムカートリッジには固有のＩＤ番号が付されると共に、ネガフィルムに写っている全画像とこのＩＤ番号を印画紙にプリントした「インデックスプリント」がこのカートリッジに添付されることになっている。
【０００５】
上記フィルムカートリッジについてさらに説明すると、図２に示すように、断面が円の直径方向をそれぞれ突出させて角丸の菱形形状とした柱状体でさらにその一辺の一部をフィルム引出口３ａとして突出させた形状であって、対角の最長幅（Ｌ１）は３０ミリメートル、高さないしは最短幅（Ｌ２）は２１ミリメートルで、長さ（Ｗ）が３９ミリメートルである。また、フィルム引出口３ａの上面には固有のＩＤ番号３ｂが付され、側面にはフィルムの使用状態を示すマーク３ｃが付されている。
なお、以下の説明においては、図２に示すように、ＩＤ番号が上面に位置する状態を基準として上下の位置関係を表現するものとする。
【０００６】
【発明が解決しようとする課題】
上述したように、新しい写真処理システムではネガフィルムは扁平なネガシートではなく、立体的なフィルムカートリッジに収納されて顧客に返却されるから、このフィルムカートリッジを効率よく整理収納するための収納具やそれに適用される保持構造が新たに求められている。
【０００７】
一般に、立体的な物体を収納保持する手段としては、例えばウレタン等の合成樹脂板に物体の大きさよりわずかに小さな収納凹部を凹設して、この物体を直接、弾性的に嵌着挟持するような構造、或いは、深めの収納凹部に物体を落とし込むと共に開口部内側に係止片を突設して物体の不用意な飛び出しを防止する構造等が採用される。
【０００８】
これらの場合、物体は資材の弾性によって保持ないしは係止されているため、その弾性力に抗する力で物体を引き出さなければならず、物体の取り出し手段として、例えば収納凹部の一辺に指先が入る程度の大きさの切欠を設けたり、収納凹部毎に帯片を設けたりする必要があって、その加工に多大な手間とコストがかかっていた。また、多数の物体を収納する場合、物体が互いに干渉ぜず個々につまみ上げやすいようにするため、収納凹部相互間の間隔を広く確保する必要があって、限られたスペースに収納する場合の収納個数に限界があった。
【０００９】
本発明は、フィルムカートリッジの形状に着目し、その形状に応じた収納凹部と係止手段によりフィルムカートリッジの着脱を極めて簡単かつ確実に行えるようにすると共に、収納盤に複数の収納凹部を設ける場合の相互の距離を短くして、より多くのフィルムカートリッジを収納できるようにした保持構造を提案しようとするものである。
【００１０】
【課題を解決するための手段】
上記実情に鑑み本発明は、合成樹脂からなる台版に、アドバンスト・フォト・システムで使用されるフィルムカートリッジの下半分と同じ形状としてフィルムカートリッジの下半分が嵌合し、且つ、フィルムカートリッジを上方に押し出す方向に弾性力が作用するような形状の収納凹部を凹設し、この収納凹部と平行にフィルムカートリッジのフィルム引出口の突出幅をおいて係止板を立設すると共に、この係止板の上記収納凹部に面した上端部にフィルムカートリッジのフィルム引出口の上端角部と係合する係止突条を設け、この係止突条と上記収納凹部の反対側角部とでフィルムカートリッジを弾性的に挟持するという手段を採用して上記課題を解決したものである。
【００１１】
また、係止板の長さを収納凹部の長さより短くして、嵌合するフィルムカートリッジのフィルム引出口の一部が露出するようにするという手段を採用した。
【００１２】
上記構成のフィルムカートリッジの保持構造は、フィルムカートリッジを収納凹部に嵌合させ、係止板に設けた係止突条と収納凹部の反対側角部とでフィルムカートリッジを弾性的に挟持するものである。
また、係止板ないしは係止板の横に露出させたフィルム引出口を押圧することで係止突条の係合を解除し、フィルムカートリッジが収納凹部から飛び出して取り出しやすくなるものである。
【００１３】
【発明の実施の形態】
以下、本発明に係るフィルムカートリッジの保持構造を図面に示す実施の形態に基づいてさらに詳述する。
図１において、１は合成樹脂板からなる台盤Ｐに凹設した収納凹部であるが、その形状をフィルムカートリッジ３の下半分（水平方向に突出するフィルム引出口３ａの下面より下の部分）の形状とほぼ同じものとすると共に、開口幅（ｄ１）をフィルムカートリッジ３の最短幅（Ｌ２）よりわずかに短くして、上記フィルムカートリッジの下半分が完全に嵌合するようにしたものである。即ち、この収納凹部１は、それ自体のみでフィルムカートリッジ３を挟定保持するものではなく、むしろ、上記フィルム引出口３ａの直下の部分が丸みを帯びていることから、図４（Ｃ）に示すように、フィルムカートリッジ３を押し出してフィルム引出口３ａが上方を向くような方向に構成資材の弾性力が作用するものである。
【００１４】
２は上記収納凹部１の長手方向と平行にフィルム引出口３ａの突出幅の間隔をおいて立設した係止板で、その上端の収納凹部側には横方向に係止突条２ａを設けて、フィルム引出口３ａの上端角部を係止してフィルムカートリッジの飛び出しを規制するようにしたものである。即ち、この係止突条２ａと収納凹部１の反対側角部１ａの距離（ｄ２）は、嵌合するフィルムカートリッジ３の対応する部分の長さよりわずかに短くしておき、ＩＤ番号３ｂを上にした状態で、フィルムカートリッジ３を係止突条２ａと収納凹部の反対側角部１ａとで弾性的に挟持するものである。
【００１５】
また、上記係止板２は上記収納凹部１の長さと同じ長さでよいが、収納凹部１の長さのほぼ半分の長さとしてフィルム引出口３ａの一部を露出させるようにすれば、後述するように、フィルム引出口３ａを押圧して上記係止突条の係合を解除できるようになる。
【００１６】
上記構成の保持構造は、まず、フィルムカートリッジ３を収納する場合、図３（Ａ）に示すようにＩＤ番号３ｂが記載された面を上にし、フィルム引出口３ａが係止板２と対向するようにして収納凹部１に押し込む。そのままＩＤ番号部分を押圧すると、フィルムカートリッジ３の下半分は収納凹部に嵌合し、フィルム引出口３ａの上縁角部が係止板２の係止突条２ａに係合してこの係止突条２ａと収納凹部１の反対側の角部１ａでフィルムカートリッジ３は挟持されることになる（図３（Ｂ）、（Ｃ）参照）。この場合、ＩＤ番号の記載面が上にあるから、フィルムカートリッジの識別が容易にできる。
【００１７】
フィルムカートリッジ３を取り出す場合は、指先で係止板２をフィルムカートリッジと反対方向に押圧すれば（図４（Ａ）、（Ｂ）参照）、係止突条２ａとフィルム引出口３ａとの係合が解除され、収納凹部１の弾性力によりフィルムカートリッジ３がフィルム引出口３ａを上にして飛び出し（同図（Ｃ）、（Ｄ）参照）、この引出口３ａをつまんで簡単に取り出すことができる。
また、係止板２の横に露出したフィルム引出口３ａを指先でわずかに押圧して係止突条２ａとの係合を解除しても、同様に引出口をつまんで簡単に取り出すことができる。
【００１８】
図５は、上記フィルムカートリッジの保持構造を蓋付きの収納ケースに適用した例を示すものであるが、図において、４は収納ケースの基箱、５はその蓋板で留め具６によって閉止するようにしたものである。７は基箱４内に設けた収納盤であって、上記保持構造からなる収納部８を縦横に列設（図では１６ヶ所）したものである。上述したように、本発明に係る保持構造によれば、ＩＤ番号を上面にしてフィルムカートリッジ３を保持しているため、収納状態でも個々のＩＤ番号３ｂが一覧でき、目的とするフィルムカートリッジ３を容易に検索できる。また、フィルムカートリッジの着脱が極めて簡単に行えるため、収納部８を互いに接近させて設けても、隣に収納したフィルムカートリッジと干渉することなく、目的とするフィルムカートリッジのみを即座に取り出すことが可能となるものである。
【００１９】
なお、上記保持構造は上述した収納ケースに限定して適用されるものではなく、例えば、図６に示すように、この保持構造を施した収納盤９を台紙形状として写真を貼付する台紙１０と共にアルバム１１に綴じ込んだり、また図７及び図８に示すように複数のポケットアルバム１２と共に収納ケース１３としてボックスアルバムを構成するようにすることも可能である。
【００２０】
【発明の効果】
以上述べたように、本発明に係るフィルムカートリッジの保持構造は、フィルムカートリッジを収納凹部に押し込んでフィルム引出口を上方から押圧するという簡単な動作でフィルムカートリッジを確実に収納保持できると共に、指先で係止板又はフィルム引出口を押して互いの係合を解除するという動作のみで、フィルムカートリッジをつまみ上げやすい状態にするものであるから、フィルムカートリッジの着脱が簡単に行えるという極めて優れた効果を奏するものである。
【００２１】
また、挟持された状態のフィルムカートリッジを直接つまみ上げるのではなく、指先で係合を解除した自由な状態のカートリッジをつまみ上げるものであるから、フィルムカートリッジの取り出しが極めて楽に行えると共に、隣り合う収納凹部との距離が短くても、互いに干渉することなく目的とするカートリッジを確実に取り上げることができ、限られたスペースに多くのフィルムカートリッジを収納保持できるようになるものである。
【００２２】
而して、極めて簡単な構造であるから、独立したフィルムカートリッジの収納ケースに適用するに止まらず、台紙上に収納盤を設けてアルバムと共に、綴じ込んだり、複数のポケットアルバムと共にいわゆるボックスアルバムとして構成できるなど多面に渡る応用が期待できる優れた発明である。
【図面の簡単な説明】
【図１】（Ａ）は本発明に係る保持構造の斜視図、（Ｂ）はその部分断面図である。
【図２】フィルムカートリッジの斜視図である。
【図３】フィルムカートリッジを収納凹部に収納する場合の説明図
【図４】フィルムカートリッジを収納凹部から取り出す場合の説明図
【図５】本発明に係る保持構造を収納ケースに適用した例を示す斜視図
【図６】本発明に係る保持構造を台紙形状に適用した例を示す斜視図
【図７】本発明に係る保持構造をボックスアルバムに適用した例を示す説明斜視図
【図８】本発明に係る保持構造をボックスアルバムに適用した他の例を示す斜視図
【符号の説明】
１      収納凹部
２      係止板
２ａ    係止突条
３      フィルムカートリッジ
３ａ    フィルム引出口
３ｂ    ＩＤ番号
【図１】
0003621781.tif 000002
【図２】
0003621781.tif 000003
【図３】
0003621781.tif 000004
【図４】
0003621781.tif 000005
【図５】
0003621781.tif 000006
【図６】
0003621781.tif 000007
【図７】
0003621781.tif 000008
【図８】
0003621781.tif 000009